(57)【要約】【課題】カラオケ装置用の光学式ワイヤレスマイクシステムにおいて、ワイヤレスマイク用の受光ユニットを増設する場合にケーブルを増設工事する手間がかからず、低コスト化を図る。また、選曲リモコン用の受光ユニットを施設する場合においても同様の改善を図る。【解決手段】マイク用受光ユニット７−２が、カラオケ演奏機１及びワイヤレス受信機８とは離れた位置にあるモニタ装置２の近辺に配置される場合に、カラオケ演奏機１とモニタ装置２とを接続している同軸ケーブル３のモニタ装置２側に信号重畳用インタフェース２０を設置し、さらに、同軸ケーブル３のカラオケ演奏機１側に信号分離用インタフェース３０を設置する。これにより、１本の同軸ケーブル３をビデオ信号送信とマイク用受光ユニットからの電気信号送信とに双方向に用いる。【選択図】  図１
2005017687.tif 000002
【特許請求の範囲】
【請求項１】
カラオケ演奏機と、このカラオケ演奏機からのビデオ信号を受けて映像を出力表示するモニタ装置と、ユーザの音声を集音して電気信号に変換し、さらに赤外線信号に変換して同信号を送信するワイヤレスマイクと、このワイヤレスマイクから送出される赤外線信号を受光して電気信号に変換するマイク用受光ユニットと、このマイク用受光ユニットからの電気信号を有線にて受けて前記カラオケ演奏機に有線にて出力するワイヤレス受信機とを備え、前記カラオケ演奏機とモニタ装置との間が１本のケーブルにより接続され、このケーブルを介してカラオケ演奏機からのビデオ信号を伝送するカラオケ装置用の光学式ワイヤレスマイクシステムにおいて、
前記マイク用受光ユニットが、前記カラオケ演奏機及びワイヤレス受信機とは離れた位置にある前記モニタ装置の近辺に配置される場合に、
該マイク用受光ユニットとワイヤレス受信機との間にケーブルを新設することに代えて、前記ケーブルの前記モニタ装置側に信号重畳用インタフェースを設置し、このインタフェースを介して該マイク用受光ユニットを前記ケーブルに接続し、さらに、
前記ケーブルの前記カラオケ演奏機側に信号分離用インタフェースを設置し、このインタフェースを介して前記ワイヤレス受信機を前記カラオケ演奏機に接続し、
前記１本のケーブルを、ビデオ信号送信とマイク用受光ユニットからの電気信号送信とに双方向に用いることを特徴としたカラオケ装置用の光学式ワイヤレスマイクシステム。
【請求項２】
信号重畳用インタフェースをモニタ装置内に組み込み、又は、信号分離用インタフェースをワイヤレス受信機内に組み込み、若しくは、この信号分離用インタフェースをワイヤレス受信機内に組み込んだものをカラオケ演奏機内に組み込んだことを特徴とした請求項１に記載のカラオケ装置用の光学式ワイヤレスマイクシステム。
【請求項３】
カラオケ演奏機と、このカラオケ演奏機からのビデオ信号を受けて映像を出力表示するモニタ装置と、ユーザのキー操作による選曲信号を赤外線信号にて送信する選曲リモコンと、この選曲リモコンから送出される赤外線信号を受光して電気信号に変換し、それを前記カラオケ演奏機に有線にて出力する選曲リモコン用受光ユニットとを備え、前記カラオケ演奏機とモニタ装置との間が１本のケーブルにより接続され、このケーブルを介してカラオケ演奏機からのビデオ信号を伝送するカラオケ装置用のカラオケ装置用の光学式ワイヤレスリモコンシステムにおいて、
前記選曲リモコン用受光ユニットが、前記カラオケ演奏機とは離れた位置にある前記モニタ装置の近辺に配置される場合に、
該選曲リモコン用受光ユニットとカラオケ演奏機との間にケーブルを新設することに代えて、前記ケーブルの前記モニタ装置側に信号重畳用インタフェースを設置し、このインタフェースを介して該選曲リモコン用受光ユニットからのリモコン信号を前記ケーブルに送出し、さらに、
前記ケーブルの前記カラオケ演奏機側に信号分離用インタフェースを設置し、このインタフェースを介して前記選曲リモコン用受光ユニットからのリモコン信号を前記カラオケ演奏機に入力し、
前記１本のケーブルを、ビデオ信号送信とリモコン信号送信とに双方向に用いるカラオケ装置用の光学式ワイヤレスリモコンシステム。
【発明の詳細な説明】
【０００１】
【発明の属する技術分野】
本発明は、カラオケ装置用の光学式ワイヤレスマイクシステム又はワイヤレスリモコンシステムに関するものである。
【０００２】
【従来の技術】
従来から、光学式つまり赤外線式ワイヤレスマイクシステムを用いたカラオケ装置の各種提案がなされている（特許文献１参照）。
【０００３】
この種、カラオケ装置のワイヤレスマイクシステムにおいては、ワイヤレスマイクからの赤外線信号を受ける受光ユニットと、この受光ユニットにより変換された電気信号が入力されるワイヤレス受信機とを備え、このワイヤレス受信機からマイク音の電気信号をカラオケ演奏機に入力する。カラオケ演奏機からは演奏音信号とマイクによる集音信号とがスピーカに出力されると共に、映像ビデオ信号がテレビモニタに出力される。
【０００４】
通常、カラオケ演奏機とテレビモニタとの間は同軸ケーブルにより接続される。また、ワイヤレスマイクからの赤外線信号を受ける受光ユニットは、マイクを使用するであろう場所から可能な限り赤外線通信に支障がないよう見通しの効く場所に設置される必要がある。そして、当然ながらワイヤレスマイクを用いてカラオケを唄うとき、テレビモニタに映し出される歌詞を見ながら唄う。このため、カラオケ演奏機とテレビモニタとが互いに近くにない場合、一つの受光ユニット（第１受光ユニット）及びそのワイヤレス受信機がカラオケ演奏機の近辺に配置されていたとしても、テレビモニタに比較的に近い位置にも、もう一つの受光ユニット（第２受光ユニット）の設置が望まれる。第２受光ユニットを増設する場合、同ユニットとそのワイヤレス受信機との間をもう１本の同軸ケーブルで接続していた。このことは、ワイヤレスマイクの場合だけでなく、同じく赤外線を使う選曲リモコンの場合にも同様のことが言える。
【０００５】
ここで、従来の受光ユニットを増設して成るワイヤレスマイクシステムについて図３を参照して説明する。このシステムは、カラオケ演奏機１と、映像を出力表示するＴＶモニタ装置２との間がビデオ信号を伝送する１本の同軸ケーブル３により接続されている。ワイヤレスマイク５から送出される赤外線信号を受光するマイク用受光ユニット▲１▼７−１は、ワイヤレス受信機８を経てカラオケ演奏機１に有線にて接続されている。ここに、もう１つのマイク用受光ユニット▲２▼７−２をモニタ装置２の近傍に増設する場合、このマイク用受光ユニット▲２▼７−２は、もう１本同軸ケーブル１０を施設してワイヤレス受信機８に接続していた。また、選曲リモコン４からの赤外線信号は、選曲リモコン用受光ユニット５を介してカラオケ演奏機１に入力されるようにしている。
【０００６】
選曲リモコン用受光ユニットをカラオケ演奏機から離れたモニタ装置付近に設ける場合について図４を参照して説明する。選曲リモコン用受光ユニット５をカラオケ演奏機１から離れて設置する場合、該受光ユニット５はカラオケ演奏機１に同軸ケーブル１１で接続する。この同軸ケーブル１１は、カラオケ演奏機１とＴＶモニタ装置２とを接続する同軸ケーブル３とほぼ並行した形となる。
【０００７】
【特許文献１】
特開平１０−２４０２７６号公報
【０００８】
【発明が解決しようとする課題】
上記のように従来のワイヤレスマイクシステムにおいては、ワイヤレスマイク用の受光ユニット▲２▼７−２を増設する場合、カラオケ演奏機１とＴＶモニタ装置２との間の同軸ケーブル３の他に、これとほぼ並行する形で、受光ユニット▲２▼７−２とワイヤレス受信機８との間にもう１本の同軸ケーブル１０を施設しており、配線工事のコスト増大を招いていた。このことは、赤外線による選曲リモコンの場合にも同様のことが言える。
【０００９】
本発明は、上述した問題点を解決するためになされたものであり、ワイヤレスマイク用の受光ユニットを増設する場合においてもケーブルを増設工事する手間がかからず、低コスト化が図れるカラオケ装置用の光学式ワイヤレスマイクシステムを提供することを目的とする。また、選曲リモコン用の受光ユニットを施設する場合においても同様の改善が図れる光学式ワイヤレスマイクシステムを提供することを目的とする。
【００１０】
【課題を解決するための手段】
上記目的を達成するために請求項１に記載の発明は、カラオケ演奏機と、このカラオケ演奏機からのビデオ信号を受けて映像を出力表示するモニタ装置と、ユーザの音声を集音して電気信号に変換し、さらに赤外線信号に変換して同信号を送信するワイヤレスマイクと、このワイヤレスマイクから送出される赤外線信号を受光して電気信号に変換するマイク用受光ユニットと、このマイク用受光ユニットからの電気信号を有線にて受けて前記カラオケ演奏機に有線にて出力するワイヤレス受信機とを備え、前記カラオケ演奏機とモニタ装置との間が１本のケーブルにより接続され、このケーブルを介してカラオケ演奏機からのビデオ信号を伝送するカラオケ装置用の光学式ワイヤレスマイクシステムにおいて、
前記マイク用受光ユニットが、前記カラオケ演奏機及びワイヤレス受信機とは離れた位置にある前記モニタ装置の近辺に配置される場合に、該マイク用受光ユニットとワイヤレス受信機との間にケーブルを新設することに代えて、前記ケーブルの前記モニタ装置側に信号重畳用インタフェースを設置し、このインタフェースを介して該マイク用受光ユニットを前記ケーブルに接続し、さらに、前記ケーブルの前記カラオケ演奏機側に信号分離用インタフェースを設置し、このインタフェースを介して前記ワイヤレス受信機を前記カラオケ演奏機に接続し、前記１本のケーブルを、ビデオ信号送信とマイク用受光ユニットからの電気信号送信とに双方向に用いるものである。
【００１１】
また、上記において、信号重畳用インタフェースをモニタ装置内に組み込み、又は、信号分離用インタフェースをワイヤレス受信機内に組み込み、若しくは、この信号分離用インタフェースをワイヤレス受信機内に組み込んだものをカラオケ演奏機内に組み込むことが望ましい。
【００１２】
また、請求項３に記載の発明は、カラオケ演奏機と、このカラオケ演奏機からのビデオ信号を受けて映像を出力表示するモニタ装置と、ユーザのキー操作による選曲信号を赤外線信号にて送信する選曲リモコンと、この選曲リモコンから送出される赤外線信号を受光して電気信号に変換し、それを前記カラオケ演奏機に有線にて出力する選曲リモコン用受光ユニットとを備え、前記カラオケ演奏機とモニタ装置との間が１本のケーブルにより接続され、このケーブルを介してカラオケ演奏機からのビデオ信号を伝送するカラオケ装置用のカラオケ装置用の光学式ワイヤレスリモコンシステムにおいて、
前記選曲リモコン用受光ユニットが、前記カラオケ演奏機とは離れた位置にある前記モニタ装置の近辺に配置される場合に、該選曲リモコン用受光ユニットとカラオケ演奏機との間にケーブルを新設することに代えて、前記ケーブルの前記モニタ装置側に信号重畳用インタフェースを設置し、このインタフェースを介して該選曲リモコン用受光ユニットからのリモコン信号を前記ケーブルに送出し、さらに、前記ケーブルの前記カラオケ演奏機側に信号分離用インタフェースを設置し、このインタフェースを介して前記選曲リモコン用受光ユニットからのリモコン信号を前記カラオケ演奏機に入力し、前記１本のケーブルを、ビデオ信号送信とリモコン信号送信とに双方向に用いるものである。
【００１３】
【発明の実施の形態】
以下、本発明の一実施形態に係るカラオケ装置用の光学式ワイヤレスマイクシステムについて図１を参照して説明する。このワイヤレスマイクシステムは、カラオケ演奏機１と、このカラオケ演奏機１からのビデオ信号を受けて映像を出力表示するＴＶモニタ装置２と、ユーザの音声を集音して電気信号に変換し、さらに赤外線信号に変換して同信号を送信するワイヤレスマイク６と、このワイヤレスマイク６から送出される赤外線信号を受光して電気信号に変換するマイク用受光ユニット▲１▼７−１と、このマイク用受光ユニットからの電気信号を有線にて受けてカラオケ演奏機１に有線にて出力するワイヤレス受信機８とを備えている。カラオケ演奏機１とＴＶモニタ装置２との間は１本のケーブル、主として同軸ケーブル３により接続され、この同軸ケーブル３を介してカラオケ演奏機１からのビデオ信号（アナログ）が伝送される。また、カラオケ演奏機１には、選曲リモコン４からの赤外線信号を受信する選曲リモコン用受光ユニット５が接続されている。
【００１４】
さらに、もう一つのマイク用受光ユニット▲２▼７−２を、カラオケ演奏機１及びワイヤレス受信機８とは離れた位置にあるＴＶモニタ装置２の近辺に配置したい場合に、本発明では、マイク用受光ユニット▲２▼７−２とワイヤレス受信機８との間にケーブルを新設することなく、上記同軸ケーブル３を用いることができるようにした。これを実現するために、ＴＶモニタ装置２側に信号重畳用インタフェース２０を設置し、このインタフェース２０を介してマイク用受光ユニット▲２▼７−２を同軸ケーブル３に接続し、さらに、同軸ケーブル３のカラオケ演奏機１側に信号分離用インタフェース３０を設置し、このインタフェース３０を介してワイヤレス受信機８をカラオケ演奏機１に接続した。
【００１５】
この構成を採用することにより、１本の同軸ケーブル３を、ビデオ信号送信とマイク用受光ユニット▲２▼７−２からの電気信号（デジタル）送信とに双方向に用いることができるようになる。
【００１６】
また、ＴＶモニタ装置２の近辺には、通常、ＡＣ１００Ｖ電源があるので、信号重畳用インタフェース２０の電源としては、ＡＣ１００Ｖ（又は電池）を用いればよい。マイク用受光ユニット▲２▼７−２への電源供給は信号重畳用インタフェース２０から行えばよい。なお、カラオケ演奏機１とＴＶモニタ装置２との間の信号減衰が大きい場合は、信号増幅の機能を信号重畳用インタフェース２０に持たせてもよい。また、カラオケ演奏機１の近辺にも通常、ＡＣ１００Ｖ電源があるので、信号分離用インタフェース３０の電源としては、ＡＣ１００Ｖを用いればよい。
【００１７】
上記のように、マイク用受光ユニット▲２▼７−２を、カラオケ演奏機１及びワイヤレス受信機８とは離れた位置にあるＴＶモニタ装置２の近辺に増設配置したい場合に、信号重畳用インタフェース２０及び信号分離用インタフェース３０を追加することで、新たにケーブルを施設することなく、カラオケ演奏機１とＴＶモニタ装置２とを接続しているビデオ信号送信用の同軸ケーブル３を、マイク用受光ユニット▲２▼７−２からの電気信号送信にも兼用することができるようになる。これにより、ケーブル工事コストの軽減が図れる。また、マイク用受光ユニット▲２▼７−２がＴＶモニタ装置２の近辺に配置されるので、ＴＶモニタ装置２を見ながら唄う人と当該受光ユニット▲２▼７−２との間に赤外線通信に障害になる物が存在することが殆ど解消され、従って、両者間の見通しが効かないことによるマイク音の音切れ等から回避される。
【００１８】
上記マイク用受光ユニット▲１▼７−１と、マイク用受光ユニット▲２▼７−２とは、両者相関によるダイバーシティ効果を上げるために互いに距離を離して置かれることが望ましい。
【００１９】
なお、上記の実施形態において、信号分離用インタフェース３０は、ワイヤレス受信機８内に組み込んでもよく、また、それら機能構成を全てカラオケ演奏機１内に組み込んでもよい。それにより、構成のコンパクト化が図れる。
【００２０】
上記実施形態は、マイク用受光ユニットを増設する例を示したが、赤外線利用の選曲リモコン用の受光ユニットをカラオケ演奏機から離れたモニタ装置近傍に施設したい場合においても同様の改善が図れる。以下に、そのような場合の実施形態に係る光学式リモコンシステムについて図２を参照して説明する。
【００２１】
このリモコンシステムは、選曲リモコン用受光ユニット５が、カラオケ演奏機１とは離れた位置にあるＴＶモニタ装置２の近辺に配置される場合に、選曲リモコン用受光ユニット５とカラオケ演奏機１との間にケーブルを新設することに代えて、同軸ケーブル３のＴＶモニタ装置２側に信号重畳用インタフェース２０を設置し、このインタフェース２０を介して選曲リモコン用受光ユニット５からのリモコン信号を同軸ケーブル３に送出し、さらに、同軸ケーブル３のカラオケ演奏機１側に信号分離用インタフェース３０を設置し、このインタフェース３０を介して選曲リモコン用受光ユニット５からのリモコン信号（デジタル）をカラオケ演奏機１に入力する。これにより、１本の同軸ケーブル３を、ビデオ信号送信とリモコン信号送信とに双方向に用いることができるようになる。
【００２２】
なお、選曲リモコン用受光ユニット５は、信号重畳用インタフェース２０へ多芯ケーブル９により接続する。選曲リモコン用受光ユニット５への電源供給は、信号重畳用インタフェース２０より行う。また、信号重畳用インタフェース２０は、ＴＶモニタ装置２内に組み込んでもよく、また、信号分離用インタフェース３０は、ワイヤレス受信機８内、又はそれらをカラオケ装置１内に組み込んでもよい。
【００２３】
本発明は上記実施形態の構成に限られず、種々の変形が可能である。例えば、図１に示したマイク用受光ユニット増設の実施形態に、図２に示した選曲リモコン用受光ユニット施設の実施形態を併せ持つ形態であっても構わない。
【００２４】
【発明の効果】
以上のように本発明によれば、マイク用受光ユニットを、カラオケ演奏機及びワイヤレス受信機とは離れた位置にあるモニタ装置の近辺に配置したい場合に、カラオケ演奏機とモニタ装置とを接続しているビデオ信号送信用のケーブルを、マイク用受光ユニットからの電気信号送信にも兼用することができる。このため、新たにケーブルを施設しなくてよくなり、工事コストの軽減が図れる。また、マイク用受光ユニットをモニタ装置の近辺に配置するので、モニタ装置を見ながら唄う人と同受光ユニットとの間に赤外線通信に障害になる物があることが無くなる。このため、両者間の見通しが効かないことによるマイク音の音切れ等が解消される。
【００２５】
また、赤外線による選曲リモコン用の受光ユニットをカラオケ演奏機から離れたモニタ装置近傍に施設する場合においても、同様の効果が得られる。
【図面の簡単な説明】
【図１】本発明の一実施形態に係るカラオケ装置用の光学式ワイヤレスマイクシステムの構成図。
【図２】本発明の他の実施形態に係るカラオケ装置用の光学式ワイヤレスマイクシステムの構成図。
【図３】従来のカラオケ装置用の光学式ワイヤレスマイクシステムの一例による構成図。
【図４】従来のカラオケ装置用の光学式ワイヤレスマイクシステムの他の例による構成図。
【符号の説明】
１  カラオケ演奏機
２  ＴＶモニタ装置
３  同軸ケーブル
４  選曲リモコン
５  選曲リモコン用受光ユニット
６  ワイヤレスマイク
７−１，７−２  マイク用受光ユニット
８  ワイヤレス受信機
２０  信号重畳用インタフェース
３０  信号分離用インタフェース
【図１】
2005017687.tif 000003
【図２】
2005017687.tif 000004
【図３】
2005017687.tif 000005
【図４】
2005017687.tif 000006